(57)【要約】【課題】インターホン装置において、居室親機に分岐トランスを備えることにより、居室親機にて映像信号を増幅することなく増設親機へ映像信号を伝送できるようにし、またデータ用トランスを備えることにより、映像信号伝送と同じくデータ信号の平衡伝送を行い、データ信号が音声に混入しないようにして通話品質を向上できるようにする。【解決手段】玄関子機を居室親機を中継し増設伝送線路を介して増設親機に接続するにあたり、居室親機に、伝送線路に接続され映像信号を増設伝送線路を介して伝送する分岐トランスを設けるとともに、玄関子機、居室親機、増設親機には、データ信号を映像信号、音声信号と多重化し、データ信号を伝送線路、増設伝送線路上で平衡伝送するためのデータ用トランスをそれぞれ備える。【選択図】図１
2009206950.tif 000002
【特許請求の範囲】
【請求項１】
来訪者が居住者を呼出信号で呼び出して前記居住者と通話する玄関子機（１００）と、前記玄関子機からの呼び出しに応じて前記来訪者と音声信号で通話する居室親機（１３１）とが伝送線路（１４４）で接続され、前記玄関子機に内蔵されるカメラ（１０１）で撮像した映像信号を前記居室親機のモニタ（１１８）で表示するとともに前記玄関子機−前記居室親機間で前記呼出信号、前記カメラの動作制御信号等のデータ信号を送受して前記呼び出し、通話、映像信号の伝送等の制御を行なうインターホン装置において、
前記玄関子機を前記居室親機を中継し増設伝送線路（１４５）を介して増設親機（１４３）に接続するにあたり、前記居室親機に、前記伝送線路に接続され前記映像信号を前記増設伝送線路を介して伝送する分岐トランス（１２２）を設けるとともに、
前記玄関子機、前記居室親機、前記増設親機には、前記データ信号を前記映像信号、前記音声信号と多重化し、前記データ信号を前記伝送線路、前記増設伝送線路上で平衡伝送するためのデータ用トランス（１０５、１２７、１３６）をそれぞれ備えることを特徴とするインターホン装置。
【発明の詳細な説明】
【技術分野】
【０００１】
本発明は、玄関子機、居室親機及び増設親機からなるインターホン装置に係り、特に玄関子機からの映像信号を安価に伝送することができるとともに、通話品質を向上させることを可能にしたインターホン装置に関する。
【背景技術】
【０００２】
従来から信号を多重化して伝送する玄関子機、居室親機及び増設親機を備えたインターホン装置はよく知られている（例えば、特許文献１、特許文献２参照）。
【０００３】
特許文献１に記載のインターホン装置（テレビドアホン装置）は音声信号と映像信号を多重化して伝送するものであり、一方特許文献２に記載のインターホン装置（集合住宅用監視・通話システム）は音声信号（音声データ）と制御信号（制御データ）を多重化して伝送するものである。
【０００４】
このような玄関子機、居室親機及び増設親機を備えたインターホン装置に関し、一例として図４に示すような回路構成を有するインターホン装置が挙げられる。図４に示す従来のインターホン装置について、映像信号とデータ信号の伝送に関して以下に説明する。
【０００５】
図４に示すインターホン装置は、玄関子機２１３、居室親機２３４及び増設親機２４８からなり、玄関子機２１３と居室親機２３４が伝送線２１４により、居室親機２３４と増設親機２４８が伝送線２３５により接続されている。
【０００６】
玄関子機２１３には映像信号伝送回路として、カメラ２００、ＦＭ変調回路２０１、ＦＭアンプ２０２、ＬＰＦ（Low Pass Filter）２０３、ＦＭ用トランス２０４が備えられており、ＦＭ用トランス２０４が伝送線２１４に接続されている。
【０００７】
またデータ信号伝送回路として、ＣＰＵ２０６、ＡＳＫ（Amplitude Shift Keying）変調回路２０７、ＬＰＦ２０８、ＡＳＫ復調回路２０９、ＢＰＦ（Band Pass Filter）２１０、２Ｗ−４Ｗ変換回路２１１、ダイオードブリッジ２１２、チョークコイル２０５が備えられており、チョークコイル２０５が伝送線２１４に接続されている。なお、２Ｗ−４Ｗ変換回路２１１はマイク、スピーカを含む通話回路へと接続されている。
【０００８】
次に居室親機２３４には映像信号伝送回路として、伝送線２１４から接続されているＦＭ用トランス２１９、ＦＭアンプ２１８、ＦＭ復調回路２１７、ビデオアンプ２１６、モニタ２１５が備えられており、またＬＰＦ２２７及び伝送線２３５に接続されるＦＭ用トランス２２８が備えられている。
【０００９】
また、データ信号伝送回路として、ＣＰＵ２２０、ＡＳＫ変調回路２２１、ＬＰＦ２２２、ＡＳＫ復調回路２２３、ＢＰＦ２２４、２Ｗ−４Ｗ変換回路２２５、チョークコイル２２６、ＡＳＫ変調回路２２９、ＬＰＦ２３０、ＡＳＫ復調回路２３１、ＢＰＦ２３２、２Ｗ−４Ｗ変換回路２３３が備えられている。なお、２Ｗ−４Ｗ変換回路２２５はマイク、スピーカを含む通話回路へと接続されている。
【００１０】
さらに増設親機２４８には映像信号伝送回路として、伝送線２３５から接続されているＦＭ用トランス２４０、ＦＭアンプ２３９、ＦＭ復調回路２３８、ビデオアンプ２３７、モニタ２３６が備えられており、またデータ信号伝送回路として、ＣＰＵ２４１、ＡＳＫ変調回路２４２、ＬＰＦ２４３、ＡＳＫ復調回路２４４、ＢＰＦ２４５、２Ｗ−４Ｗ変換回路２４６、チョークコイル２４７が備えられ、このチョークコイル２４７が伝送線２３５に接続されている。なお、２Ｗ−４Ｗ変換回路２４６はマイク、スピーカを含む通話回路へと接続されている。
【００１１】
このような回路構成を有する従来のインターホン装置においては、映像信号は玄関子機２１３から居室親機２３４、増設親機２４８への単方向伝送であり、玄関子機２１３のカメラ２００で撮像された映像は、ＦＭ変調回路２０１により１２ＭＨｚの搬送波によりＦＭ変調され、ＦＭアンプ２０２、ＬＰＦ２０３、ＦＭ用トランス２０４を介して伝送線路２１４へ出力される。
【００１２】
伝送線路２１４を介して送られてきた映像信号は、居室親機２３４のＦＭ用トランス２１９、ＦＭアンプ２１８を介してＦＭ復調回路２１７へ送られる。ＦＭ復調回路２１７により復調された映像信号はビデオアンプ２１６により適切なレベルに調整された後、モニタ２１５へ入力され、モニタ画面に映像が表示される。
【００１３】
またＦＭアンプ２１８の出力信号は、ＬＰＦ２２７、ＦＭ用トランス２２８を介し、伝送線路２３５へ出力され増設親機２４８へ送られる。即ち玄関子機２１３からの映像信号は居室親機２３４を中継して増設親機２４８へ送られるようになっている。
【００１４】
増設親機２４８での映像信号受信は居室親機２３４と同様で、ＦＭ用トランス２４０、ＦＭアンプ２３９、ＦＭ復調回路２３８、ビデオアンプ２３７を介してモニタ２３６で映像表示される。
【００１５】
一方、データ信号伝送について説明すると、データ信号は玄関子機２１３と居室親機２３４間、居室親機２３４と増設親機２４８間で伝送され、各機器の制御動作に必要なデータ通信を行うものである。
【００１６】
例として、居室親機２３４から玄関子機２１３へのデータ信号伝送を説明する。まずＣＰＵ２２０から出力された音声信号やカメラ動作制御信号などのデータ信号は、３２ｋＨｚ搬送波によりＡＳＫ変調回路２２１で変調され、ＬＰＦ２２２、２Ｗ−４Ｗ変換回路２２５を介して伝送線路２１４へ出力される。伝送線路２１４を介して送られてきたデータ信号は、玄関子機２１３のチョークコイル２０５、ダイオードブリッジ２１２、２Ｗ−４Ｗ変換回路２１１を介して受信され、ＢＰＦ２１０、ＡＳＫ復調回路２０９を介して復調され、ＣＰＵ２０６へ入力される。
【００１７】
なお、データ伝送の送受信回路は玄関子機２１３、居室親機２３４、増設親機２４８とも同様である。
【００１８】
【特許文献１】特開平１１−２８４９９５号公報
【特許文献２】特開２００５−２３６５８１号公報
【発明の開示】
【発明が解決しようとする課題】
【００１９】
上記のように従来のインターホン装置は、映像信号伝送において、図４における居室親機２３４から増設親機２４８への映像信号の中継にＬＰＦ２２７、ＦＭ用トランス２２８が必要でありコスト高になってしまうこと、また伝送線路２３５へ映像信号を出力するためのＦＭアンプ２１８の消費電流が大きいこと、さらにデータ信号伝送においてＡＳＫ変調されたデータ信号が音声信号に混入してノイズとなってしまい、通話品質が低下してしまうことなどの問題があった。
【００２０】
本発明は、上記従来の課題を解決することを目的としたもので、居室親機にて映像信号を増幅することなく増設親機へ映像信号を伝送できるようにし、またデータ信号が音声に混入しないようにして通話品質を向上できるようにしたインターホン装置を提供するものである。
【課題を解決するための手段】
【００２１】
本発明のインターホン装置の第１の態様は、来訪者が居住者を呼出信号で呼び出して居住者と通話する玄関子機と、玄関子機からの呼び出しに応じて来訪者と音声信号で通話する居室親機とが伝送線路で接続され、玄関子機に内蔵されるカメラで撮像した映像信号を居室親機のモニタで表示するとともに玄関子機−居室親機間で呼出信号、カメラの動作制御信号等のデータ信号を送受して呼び出し、通話、映像信号の伝送等の制御を行なうインターホン装置において、玄関子機を居室親機を中継し増設伝送線路を介して増設親機に接続するにあたり、居室親機に、伝送線路に接続され映像信号を増設伝送線路を介して伝送する分岐トランスを設けるとともに、玄関子機、居室親機、増設親機には、データ信号を映像信号、音声信号と多重化し、データ信号を伝送線路、増設伝送線路上で平衡伝送するためのデータ用トランスをそれぞれ備えることを特徴とする。
【発明の効果】
【００２２】
本発明のインターホン装置によれば、居室親機に分岐トランスを備えることで安価に映像信号の伝送を実現することができるとともに、玄関子機、居室親機及び増設親機にデータ用トランスをそれぞれ備えることで通話品質の向上も実現することができる。
【発明を実施するための最良の形態】
【００２３】
以下、本発明のインターホン装置における好ましい実施の形態について、図面を参照して説明する。なお本実施の形態において、通常の来訪者による呼び出し、居住者による応答等の動作は従来と同様のため説明を省略する。
【００２４】
図１は本発明のインターホン装置を説明するためのブロック図である。
【００２５】
図１において、本発明のインターホン装置は、玄関子機１００、居室親機１３１及び増設親機１４３からなり、玄関子機１００と居室親機１３１伝送線路１４４により、居室親機１３１と増設親機１４３が増設伝送線路１４５により接続されている。
【００２６】
玄関子機１００には映像信号伝送回路として、カメラ１０１、ＦＭ変調回路１０２、ＦＭアンプ１０３、ＬＰＦ１０４、ＦＭ／データ用トランス１０５が備えられている。また、データ信号伝送回路として、ＣＰＵ１０６、ＡＳＫ変調回路１０７、ＬＰＦ１０８、ＡＳＫ復調回路１０９、チョークコイル１１２、ダイオードブリッジ１１４、２Ｗ−４Ｗ変換回路１１３が備えられており、２Ｗ−４Ｗ変換回路１１３がマイク、スピーカからなる通話回路へと接続されている。
【００２７】
次に居室親機１３１には映像信号伝送回路として、伝送線路１４４及び増設伝送線路１４５と接続されている分岐トランス１２２、ＦＭアンプ１２１、ＦＭ復調回路１２０、ビデオアンプ１１９、モニタ１１８が備えられており、データ信号伝送回路として、ＣＰＵ１２３、ＡＳＫ変調回路１２４、ＡＳＫ復調回路１２５、ＬＰＦ１２６、伝送線路１４４及び増設伝送線路１４５に接続される親機データ用トランス１２７、チョークコイル１１７が備えられている。そして、一方のチョークコイル１１７にはインピーダンスレベルを下げないためのインピーダンスアッパー１１６及び２Ｗ−４Ｗ変換回路１１５が接続されており、２Ｗ−４Ｗ変換回路１１５はマイク、スピーカからなる通話回路へと接続されている。
【００２８】
さらに増設親機１４３には映像信号伝送回路として、増設伝送線路１４５と接続されているＦＭ／データ用トランス１３６、ＦＭアンプ１３５、ＦＭ復調回路１３４、ビデオアンプ１３３、モニタ１３２が備えられており、データ信号伝送回路として、ＣＰＵ１３７、ＡＳＫ変調回路１３８、ＡＳＫ復調回路１３９、ＬＰＦ１４０、チョークコイル１４２が備えられている。このチョークコイル１４２は増設伝送線路１４５と接続され、また２Ｗ−４Ｗ変換回路１４１にも接続され、２Ｗ−４Ｗ変換回路１４１はマイク、スピーカからなる通話回路へと接続されている。
【００２９】
ここで、上記のような構成を有する本実施の形態のインターホン装置の動作について説明する。
【００３０】
まず映像信号伝送回路における動作を説明すると、本発明のインターホン装置の映像信号伝送回路は、上記したように玄関子機１００におけるカメラ１０１、ＦＭ変調回路１０２、ＦＭアンプ１０３、ＬＰＦ１０４、ＦＭ／データ用トランス１０５と、居室親機１３１における分岐トランス１２２、ＦＭアンプ１２１、ＦＭ復調回路１２０、ビデオアンプ１１９、モニタ１１８と、増設親機１４３におけるＦＭ／データ用トランス１３６、ＦＭアンプ１３５、ＦＭ復調回路１３４、ビデオアンプ１３３、モニタ１３２とから構成されている。
【００３１】
このような構成において、玄関子機１００のカメラ１０１で撮像された映像は、ＦＭ変調回路１０２により１２ＭＨｚ搬送波でＦＭ変調された後、ＦＭアンプ１０３、ＬＰＦ１０４、ＦＭ／データ用トランス１０５を介して伝送線路１４４へ出力される。
【００３２】
出力された映像信号は、伝送線路１４４を介し、居室親機１３１の分岐トランス１２２で分岐され、約１３ｄＢの減衰を経てＦＭアンプ１２１へ入力される。この信号はＦＭアンプ１２１で増幅された後、ＦＭ復調回路１２０で復調され、ビデオアンプ１１９で適切なレベルに調整された後、モニタ１１８へ入力され画面に表示される。
【００３３】
一方、伝送線路１４４上の映像信号は、分岐トランス１２２で分岐され、約１ｄＢの減衰を受け増設伝送線路１４５へ出力される。そして、この映像信号は増設伝送線路１４５を介して増設親機１４３へ送られ、ＦＭ／データ用トランス１３６、ＦＭアンプ１３５、ＦＭ復調回路１３４、ビデオアンプ１３３を介してモニタ１３２へ送られて画面に表示される。
【００３４】
図２は映像信号が玄関子機１００から居室親機１３１、増設親機１４３に出力される例を示したもので、玄関子機１００、居室親機１３１、増設親機１４３がバス接続され、映像信号が玄関子機１００から居室親機１３１に伝送され、居室親機１３１の分岐トランス１２２で分岐されて約１３ｄＢの減衰を受けるとともに、分岐された映像信号が増設親機１４３には約１ｄＢの減衰を受け伝送される状況を表している。この時の線路損失は１ｍあたり０．１ｄＢとしている。なお、玄関子機１００の回路は図示を省略している。
【００３５】
このような構成によれば、居室親機に分岐トランスを設けて分岐方式としたことにより、映像信号を居室親機で増幅し、増設親機へ中継していた従来の方式に比べ、居室親機において大きな消費電流が必要なＦＭアンプとＬＰＦが不要となり、回路構成を簡潔なものとすることができる。
【００３６】
次にデータ信号伝送回路の動作について説明する。
【００３７】
本発明のインターホン装置におけるデータ信号伝送回路は、従来音声用の２Ｗ−４Ｗ変換回路を使い不平衡伝送を行っていたのに対し、ＦＭ用とデータ用を共用させたトランスを用いて平衡伝送としたことを特徴とする。
【００３８】
まず、図１において、居室親機１３１のＣＰＵ１２３から出力されたデータ信号は、ＡＳＫ変調回路１２４により２ＭＨｚ搬送波でＡＳＫ変調される。従来方式では３２ｋＨｚ搬送波であったのに対し、搬送波周波数を２ＭＨｚに上げたことにより高周波数化によるデータの通信速度の向上（６００ｂｐｓ→１９．２ｋｂｐｓ）が図れ、それによってトランスの共用が実現可能となっている。なお、データの通信速度の向上は２００ｋｂｐｓ程度まで可能である。
【００３９】
ＡＳＫ変調されたデータ信号は、ＬＰＦ１２６、親機データ用トランス１２７を介して伝送線路１４４へ出力される。伝送線路１４４はチョークコイル１１７によりデータ信号および映像信号の周波数において高インピーダンス化されており、これにより居室親機１３１から玄関子機１００への電源供給を可能としつつ、データ信号の平衡伝送を可能としている。ただし、映像信号伝送に関しては両端で75Ω終端されている。
伝送線路１４４を介して送られてきたデータ信号は、玄関子機１００のＦＭ／データ用トランス１０５、ＬＰＦ１０８を介してＡＳＫ復調回路１０９で復調され、ＣＰＵ１０６へ入力される。
【００４０】
一方、親機データ用トランス１２７を介して出力されたデータ信号は増設伝送線路１４５へも出力される。
【００４１】
居室親機１３１から増設親機１４３へのデータ信号伝送は、増設伝送線路１４５へ出力されたデータ信号が増設親機１４３のＦＭ／データ用トランス１３６、ＬＰＦ１４０を介し、ＡＳＫ復調回路１３９で復調され、ＣＰＵ１３７へ入力される。
【００４２】
なお、データ信号は音声信号、映像信号とともに多重化されて伝送される。図３は本発明のインターホン装置における多重化伝送のスペクトルの一例を示したもので、各信号がそれぞれ相互に影響を与えないような周波数帯、例えば、音声信号を０．２〜１０ｋＨｚ、データ信号を２ＭＨｚ、映像信号を１０〜１５ＭＨｚに分割し、これらの各信号を多重化して伝送する。
【００４３】
このように、本発明のインターホン装置によれば、従来方式に比べ、分岐トランスを用いることにより安価に映像信号の伝送を行うことができ、また搬送波周波数を上げたことで、トランス、フィルタの小型化、通信速度の向上を図ることができる。さらにデータ信号用トランスを介して平衡伝送することで、データ信号の音声混入を最小限にすることができ、通話品質の向上も図ることができる。
【図面の簡単な説明】
【００４４】
【図１】本発明のインターホン装置の各機器の構成の一実施の形態を表すブロック図である。
【図２】本発明のインターホン装置における映像信号の減衰の状況を表す図である。
【図３】本発明のインターホン装置における信号の多重化のスペクトルの例を表す図である。
【図４】従来のインターホン装置の各機器の構成を表すブロック図である。
【符号の説明】
【００４５】
１００・・・・・玄関子機
１０１・・・・・カメラ
１１８・・・・・モニタ
１２２・・・・・分岐トランス
１２７・・・・・親機データ用トランス
１３１・・・・・居室親機
１４３・・・・・増設親機
１４４・・・・・伝送線路
１４５・・・・・増設伝送線路
【図１】
2009206950.tif 000003
【図２】
2009206950.tif 000004
【図３】
2009206950.tif 000005
【図４】
2009206950.tif 000006